(57)【要約】【課題】  スピーカアレイにおいて異常のあるスピーカユニットを容易に確認できるようにする。【解決手段】  スピーカアレイを構成する複数のスピーカユニットの前方に、各スピーカユニットに対応させて検査装置１００を配設する。検査装置１００は、対応するスピーカユニットから所定周波数の音波が所定の音圧レベルで出力されると、周波数に対応させた色でＬＥＤ１４０を発光させる。スピーカアレイを構成するスピーカユニットにおいて、出力に異常があり、所定周波数の音波が出力されていない場合には、異常のあるスピーカユニットの前方にある検査装置１００のＬＥＤは点灯しないので、異常のあるスピーカユニットを容易に知ることができる。【選択図】            図２
2007068101.tif 000002
【特許請求の範囲】
【請求項１】
スピーカアレイを検査する検査装置であって、
入力される音波に対応した音信号を出力する音信号出力手段と、
可視光を出力する発光手段と、
前記音信号出力手段から音信号が出力された場合に前記発光手段を制御して前記発光手段から可視光を出力させる発光制御手段と、
前記各手段を駆動する電源と、
が同一の筐体に設けられており、
試験対象となるスピーカアレイを構成するスピーカユニットに一対一に対応し、
前記音信号出力手段には、対応するスピーカユニットから出力された音波が入力されること
を特徴とする検査装置。
【請求項２】
前記スピーカユニットの前方に着脱可能であることを特徴とする請求項１に記載の検査装置。
【請求項３】
前記音信号出力手段から出力される音信号のうち、予め定められた周波数帯域に属する音波の音信号を通過させるフィルタ手段と、
前記フィルタ手段を通過した音信号が表す音波の周波数を検知する周波数検知手段と
をさらに備え、
前記発光制御手段は、前記周波数検知手段により検知された周波数に基づいて前記可視光の出力を制御すること
を特徴とする請求項１または請求項２に記載の検査装置。
【請求項４】
前記音信号出力手段から出力された音信号が表す音波の音圧レベルを検知するレベル検知手段をさらに備え、
前記発光制御手段は、前記レベル検知手段により検知された音圧レベルに基づいて前記可視光の出力を制御すること
を特徴とする請求項１または請求項２に記載の検査装置。
【請求項５】
前記電源は太陽電池であることを特徴とする請求項１乃至請求項４のいずれかに記載の検査装置。
【請求項６】
請求項１乃至請求項５のいずれかに記載の検査装置を備えたスピーカアレイ。
【請求項７】
スピーカアレイを検査するスピーカ検査冶具であって、
入力される音波に対応した音信号を出力する音信号出力手段と、
可視光を出力する発光手段と、
前記音信号出力手段から音信号が出力された場合に前記発光手段を制御して前記発光手段から可視光を出力させる発光制御手段と、
前記各手段を駆動する電源と、
が同一の筐体に設けられている検査装置を複数備え、
前記検査装置は、試験対象となるスピーカアレイを構成するスピーカユニットに一対一に対応しており、
前記音信号出力手段には、前記検査装置に対応するスピーカユニットから出力された音波が入力されること
を特徴とするスピーカ検査冶具。
【発明の詳細な説明】
【技術分野】
【０００１】
本発明は、スピーカアレイの異常を検知する技術に関する。
【背景技術】
【０００２】
スピーカユニットの試験装置としては、例えば特許文献１に開示されたものがある。特許文献１に開示された試験装置は、スピーカユニットの前方にマイクロホンを配置し、スピーカユニットから出力される音をこのマイクロホンで検知し、検知した音に基づいてスピーカユニットの極性を自動的に判定している。この態様によれば、人間の聴感に頼ることなく、確実にスピーカユニットの試験を行うことができる。
【特許文献１】実開平６−１９３９２号公報
【発明の開示】
【発明が解決しようとする課題】
【０００３】
ところで、スピーカの中には数十個から１００個を超えるスピーカユニットを複数配列したスピーカアレイというスピーカがある。このようなスピーカアレイにおいては、使用中にいずれかのスピーカユニットに異常が発生した場合、どのスピーカユニットに異常が発生したのか探し出す必要がある。しかし、各スピーカユニットの前に順番にマイクロホンを設置していき、各スピーカユニットを順番に試験していくという方法であると、異常が発生したスピーカユニットを探し出すのに非常に手間と時間がかかり、修理の作業が非常に長時間になるという問題がある。
【０００４】
本発明は、上述した背景の下になされたものであり、その目的は、スピーカアレイにおいて異常のあるスピーカユニットを容易に確認できるようにすることにある。
【課題を解決するための手段】
【０００５】
上述した課題を解決するために本発明は、スピーカアレイを検査する検査装置であって、入力される音波に対応した音信号を出力する音信号出力手段と、可視光を出力する発光手段と、前記音信号出力手段から音信号が出力された場合に前記発光手段を制御して前記発光手段から可視光を出力させる発光制御手段と、前記各手段を駆動する電源と、が同一の筐体に設けられており、試験対象となるスピーカアレイを構成するスピーカユニットに一対一に対応し、前記音信号出力手段には、対応するスピーカユニットから出力された音波が入力されることを特徴とする検査装置を提供する。
【０００６】
好ましい態様においては、当該検査装置を、前記スピーカユニットの前方に着脱可能としてもよい。また、別の好ましい態様においては、前記音信号出力手段から出力される音信号のうち、予め定められた周波数帯域に属する音波の音信号を通過させるフィルタ手段と、前記フィルタ手段を通過した音信号が表す音波の周波数を検知する周波数検知手段とをさらに備え、前記発光制御手段は、前記周波数検知手段により検知された周波数に基づいて前記可視光の出力を制御するようにしてもよい。また、別の好ましい態様においては、前記音信号出力手段から出力された音信号が表す音波の音圧レベルを検知するレベル検知手段をさらに備え、前記発光制御手段は、前記レベル検知手段により検知された音圧レベルに基づいて前記可視光の出力を制御するようにしてもよい。また、別の態様においては、前記電源を太陽電池としてもよい。
【０００７】
また、本発明は、前記検査装置を備えたスピーカアレイを提供する。また、本発明は、スピーカアレイを検査するスピーカ検査冶具であって、入力される音波に対応した音信号を出力する音信号出力手段と、可視光を出力する発光手段と、前記音信号出力手段から音信号が出力された場合に前記発光手段を制御して前記発光手段から可視光を出力させる発光制御手段と、前記各手段を駆動する電源と、が同一の筐体に設けられている検査装置を複数備え、前記検査装置は、試験対象となるスピーカアレイを構成するスピーカユニットに一対一に対応しており、前記音信号出力手段には、前記検査装置に対応するスピーカユニットから出力された音波が入力されることを特徴とするスピーカ検査冶具を提供する。
【発明の効果】
【０００８】
本発明によれば、スピーカアレイにおいて異常のあるスピーカユニットを容易に知ることができる。
【発明を実施するための最良の形態】
【０００９】
以下、図面を参照して本発明の実施形態について説明する。
［第１実施形態］
図１は、スピーカアレイと本発明の第１実施形態に係る検査装置の外観図である。スピーカアレイ２０は１５個のスピーカユニットを具備しており、これらのスピーカユニットは３行×５列で配置されている。検査装置１００は、スピーカユニットの異常を検知する装置であり、各スピーカユニットの前方に固定されている。リモコン装置３０は、検査装置１００に各種コマンドを送信する装置である。リモコン装置３０は、複数のボタン３１〜３３を備えており、ボタンが押下されると各種コマンドを赤外線パルス光に変換して出力する。
【００１０】
図２（ａ）は検査装置１００をスピーカユニット側から見た時の外観図であり、図２（ｂ）は検査装置１００をスピーカユニット側と反対の方向から見た時の外観図である。また図３は、検査装置１００のハードウェア構成を示したブロック図である。図２（ａ）および図２（ｂ）に示したように、この検査装置１００の筐体の表面には、光エネルギーを電気エネルギーに変換する太陽電池１２０と、マイクロホン１３０と、チップ型の高輝度ＬＥＤ（Light-Emitting Diode）１４０が配設されている。また、検査装置１００は、筐体の内部に、アンプ１５０、帯域フィルタ１６０、検出部１７０、二次電池１９０、制御部１１０を備えている。なお、本実施形態においては、ＬＥＤ１４０は赤，緑，青等、複数の色の光を出力できるようになっている。
【００１１】
図３に示したように、二次電池１９０は、太陽電池１２０に接続されており、太陽電池で得られた電気エネルギーを蓄え、蓄えた電気エネルギーを検査装置１００の各部に供給する。マイクロホン１３０は、狭指向性で小型のマイクロホンである。マイクロホン１３０に音波が到達すると、マイクロホン１３０は到達した音波に対応した電気信号であるオーディオ信号を出力する。マイクロホン１３０は、その指向性が狭指向性となっているため、図１のように検査装置１００が各スピーカユニットの前方に位置すると、各検査装置１００に対向するスピーカユニットから出力される音波のみをオーディオ信号に変換して出力する。アンプ１５０は、マイクロホン１３０に接続されており、マイクロホン１３０から出力されるオーディオ信号を増幅して出力する。アンプ１５０で増幅されたオーディオ信号は、アンプ１５０に接続されている帯域フィルタ１６０に入力される。
【００１２】
帯域フィルタ１６０は、特定の周波数帯域内のオーディオ信号のみを通すフィルタである。帯域フィルタ１６０は、制御部１１０からの制御によって、低音のオーディオ信号、中音のオーディオ信号、高音のオーディオ信号というように、通過させるオーディオ信号の周波数帯域を変更する。帯域フィルタ１６０を通過したオーディオ信号は検出部１７０に入力される。検出部１７０は、マイクロホン１３０に到達した音波の音圧レベルを検知する回路である。検出部１７０は、入力されたオーディオ信号から音圧レベルを検知し、検知した音圧レベルを表すレベル信号を制御部１１０へ出力する。
【００１３】
通信部１８０は、無線通信を行う通信インターフェースであり、リモコン装置３０から送信される赤外線パルス光を受光し、受光した赤外線パルス光を電気信号に変換して制御部１１０へ出力する。
【００１４】
制御部１１０は、ＣＰＵ（Central Processing Unit）、ＲＯＭ（Read Only Memory）、ＲＡＭ（Random Access Memory）、不揮発性メモリ等を備えている。ＲＯＭに記憶されているプログラムがＣＰＵにより実行されると、制御部１１０は、検出部１７０から出力されるレベル信号に基づいて、ＬＥＤ１４０に流す電流を制御し、ＬＥＤ１４０の発光を制御する。また、制御部１１０は、通信部１８０から出力される電気信号が表すコマンドに応じて帯域フィルタ１６０を制御し、帯域フィルタ１６０が通過させるオーディオ信号の周波数帯域を変更する。
【００１５】
［第１実施形態の動作］
次に本実施形態に係るスピーカ試験装置１０の動作について説明する。なお、以下の説明においては、スピーカユニットにおける低音出力の異常、中音出力の異常、および高音出力の異常を検知する場合を想定して動作の説明を行う。
【００１６】
［低音の出力異常を検知する場合］
まず、リモコン装置３０のボタン３１を操作し、帯域フィルタ１６０を通過するオーディオ信号の周波数帯域を低音域に設定する。リモコン装置３０のボタン３１が押下されると、帯域フィルタ１６０を通過するオーディオ信号の周波数帯域を低音帯域に指示するコマンドが赤外線パルス光に変換されて出力される。この赤外線パルス光が通信部１８０にて受光されると、制御部１１０は帯域フィルタ１６０を制御し、帯域フィルタ１６０を通過するオーディオ信号の帯域を低音帯域に設定する。
【００１７】
次に、スピーカアレイ２０から低音が出力されるように、スピーカアレイ２０にオーディオ信号を供給する。スピーカアレイ２０に供給されたオーディオ信号は、スピーカアレイ２０の各スピーカユニットへ供給される。各スピーカユニットにオーディオ信号が供給されると、各スピーカユニットから低音が出力される。
【００１８】
各スピーカユニットから出力された音波は、各スピーカユニットの前方にある検査装置１００のマイクロホン１３０に到達する。マイクロホン１３０に音波が到達すると、到達した音波がオーディオ信号に変換され、この変換されたオーディオ信号がアンプ１５０で増幅される。そして、アンプ１５０で増幅されたオーディオ信号は、帯域フィルタ１６０に入力される。ここで、アンプ１５０で増幅されたオーディオ信号は低音のオーディオ信号であるため、このオーディオ信号は帯域フィルタ１６０を通過する。
【００１９】
次に、帯域フィルタ１６０を通過したオーディオ信号は、検出部１７０に入力される。検出部１７０は、入力されたオーディオ信号から音圧レベルを検知し、検知した音圧レベルを表すレベル信号を制御部１１０へ出力する。制御部１１０は、検出部１７０から出力されたレベル信号が入力されると、このレベル信号に応じてＬＥＤの発光を制御する。具体的には、レベル信号が表す音圧レベルに応じてＬＥＤ１４０を発光させる。例えば、音圧レベルの値が所定の閾値未満である場合には、ＬＥＤ１４０には電流を流さず、ＬＥＤを点灯させない。また、音圧レベルの値が所定の閾値以上である場合には、ＬＥＤ１４０の発光色が赤となるようにＬＥＤ１４０に電流を流し、ＬＥＤ１４０を点灯させる。
【００２０】
これにより、検査装置１００においては、入力された低音の音圧レベルに応じて、ＬＥＤ１４０が赤色に発光する。例えば、いずれかのスピーカユニットにおいて、低音の出力に異常があり、低音の音波が出力されていない場合には、異常のあるスピーカユニットの前方にある検査装置１００は赤色に点灯しないので、異常のあるスピーカユニットを容易に知ることができる。
【００２１】
［中音の出力異常を検知する場合］
次に、中音の出力異常を検知する場合の動作について説明する。まず、リモコン装置３０のボタン３２を操作し、帯域フィルタ１６０を通過するオーディオ信号の周波数帯域を中音域に設定する。リモコン装置３０のボタン３２が押下されると、帯域フィルタ１６０を通過するオーディオ信号の周波数帯域を中音帯域に指示するコマンドが赤外線パルス光に変換されて出力される。この赤外線パルス光が通信部１８０にて受光されると、制御部１１０は帯域フィルタ１６０を制御し、帯域フィルタ１６０を通過するオーディオ信号の周波数帯域を中音帯域に設定する。
【００２２】
次に、スピーカアレイ２０から中音が出力されるように、スピーカアレイ２０にオーディオ信号を供給する。スピーカアレイ２０にオーディオ信号が供給されると、各スピーカユニットから中音が出力される。
【００２３】
各スピーカユニットから出力された音波は、各スピーカユニットの前方にある検査装置１００のマイクロホン１３０に到達する。マイクロホン１３０に音波が到達すると、到達した中音がオーディオ信号に変換され、この変換されたオーディオ信号がアンプ１５０で増幅される。そして、アンプ１５０で増幅されたオーディオ信号は、帯域フィルタ１６０に入力される。ここで、アンプ１５０で増幅されたオーディオ信号は中音のオーディオ信号であるため、このオーディオ信号は帯域フィルタ１６０を通過する。
【００２４】
次に、帯域フィルタ１６０を通過したオーディオ信号は、検出部１７０に入力される。検出部１７０は、入力されたオーディオ信号から音圧レベルを検知し、検知した音圧レベルを表すレベル信号を制御部１１０へ出力する。制御部１１０は、検出部１７０から出力されたレベル信号が入力されると、このレベル信号に応じてＬＥＤの発光を制御する。具体的には、レベル信号が表す音圧レベルに応じてＬＥＤ１４０を発光させる。例えば、音圧レベルの値が所定の閾値未満である場合には、ＬＥＤ１４０には電流を流さず、ＬＥＤを点灯させない。また、音圧レベルの値が所定の閾値以上である場合には、ＬＥＤ１４０の発光色が緑となるようにＬＥＤ１４０に電流を流し、ＬＥＤ１４０を点灯させる。
【００２５】
これにより、検査装置１００においては、入力された中音の音圧レベルに応じて、ＬＥＤ１４０が緑色に発光する。例えば、いずれかのスピーカユニットにおいて、中音の出力に異常があり、中音の音波が出力されない場合には、異常のあるスピーカユニットの前方にある検査装置１００は緑色に点灯しないので、異常のあるスピーカユニットを容易に知ることができる。
【００２６】
［高音の出力異常を検知する場合］
次に、高音の出力異常を検知する場合の動作について説明する。まず、リモコン装置３０のボタン３３を操作し、帯域フィルタ１６０を通過するオーディオ信号の周波数帯域を高音域に設定する。リモコン装置３０のボタン３３が押下されると、帯域フィルタ１６０を通過するオーディオ信号の周波数帯域を高音帯域に指示するコマンドが赤外線パルス光に変換されて出力される。この赤外線パルス光が通信部１８０にて受光されると、制御部１１０は帯域フィルタ１６０を制御し、帯域フィルタ１６０を通過するオーディオ信号の帯域を高音帯域に設定する。
【００２７】
次に、スピーカアレイ２０から高音が出力されるように、スピーカアレイ２０にオーディオ信号を供給する。スピーカアレイ２０にオーディオ信号が供給されると各スピーカユニットから高音が出力される。
【００２８】
各スピーカユニットから出力された音波は、各スピーカユニットの前方にある検査装置１００のマイクロホン１３０に到達する。マイクロホン１３０に音が到達すると、到達した高音がオーディオ信号に変換され、この変換されたオーディオ信号がアンプ１５０で増幅される。そして、アンプ１５０で増幅されたオーディオ信号は、帯域フィルタ１６０に入力される。ここで、アンプ１５０で増幅されたオーディオ信号は高音のオーディオ信号であるため、このオーディオ信号は帯域フィルタ１６０を通過する。
【００２９】
次に、帯域フィルタ１６０を通過したオーディオ信号は、検出部１７０に入力される。検出部１７０は、入力されたオーディオ信号から音圧レベルを検知し、検知した音圧レベルを表すレベル信号を制御部１１０へ出力する。制御部１１０は、検出部１７０から出力されたレベル信号が入力されると、このレベル信号に応じてＬＥＤの発光を制御する。具体的には、レベル信号が表す音圧レベルに応じてＬＥＤ１４０を発光させる。例えば、音圧レベルの値が所定の閾値未満である場合には、ＬＥＤ１４０には電流を流さず、ＬＥＤを点灯させない。また、音圧レベルの値が所定の閾値以上である場合には、ＬＥＤ１４０の発光色が青となるようにＬＥＤ１４０に電流を流し、ＬＥＤ１４０を点灯させる。
【００３０】
これにより、検査装置１００においては、入力された高音の音圧レベルに応じて、ＬＥＤ１４０が青色に発光する。例えば、いずれかのスピーカユニットにおいて、高音の出力に異常があり、高音の音波が出力されない場合には、異常のあるスピーカユニットの前方にある検査装置１００は青色に点灯しないので、異常のあるスピーカユニットを容易に知ることができる。
【００３１】
以上説明したように本実施形態によれば、手間や時間をかけることなく、容易に異常のあるスピーカユニットを知ることができる。また、音波の周波数に応じてＬＥＤの発光色を異ならせるので、周波数帯域毎の異常も容易に知ることができる。また、太陽電池１２０を電源としており、電源ケーブルから電力を供給しないため、スピーカアレイがどのような位置に配置されていても容易にスピーカアレイの異常を検知することができる。
【００３２】
なお、上述した実施形態においては、検査装置１００はスピーカユニットの前方に固定されているが、検査装置１００の底面に粘着シールを設け、この粘着シールによってスピーカアレイ２０へ取付けるようにしてもよい。この態様によれば、検査装置１００を自由に着脱することができる。着脱を繰り返し、各スピーカユニットを一つづつ検査していくようにすれば、スピーカユニット毎に検査装置１００を設ける必要がなくなり、コストを抑えることが可能となる。また、検査装置１００は、磁石や面ファスナーによって取付けるようにしてもよい。
【００３３】
［第２実施形態］
次に本発明の第２実施形態について説明する。本発明の第２実施形態は、検査装置１００の検出部１７０の構成と制御部１１０の構成が第１実施形態と異なる。なお検査装置１００のその他の構成は第１実施形態と同じとなっている。第２実施形態に係る検出部１７０は、帯域フィルタを通過したオーディオ信号が表す音の周波数を検知し、検知した周波数を表す周波数信号を制御部１１０へ出力する。また、制御部１１０は、検出部１７０から出力される周波数信号に基づいて、ＬＥＤ１４０に流す電流を制御し、ＬＥＤ１４０の発光を制御する。
【００３４】
［第２実施形態の動作］
次に本実施形態の動作について説明する。なお、以下の説明においては、帯域フィルタ１６０を通過するオーディオ信号の周波数帯域が可聴帯域に設定されている場合を想定して動作の説明を行う。
【００３５】
まず、可聴帯域における低音から高音までの音が連続的に出力されるように、周波数が連続的に変化するスイープ信号をスピーカアレイ２０に供給する。このスイープ信号がスピーカアレイ２０の各スピーカユニットに供給されると、各スピーカユニットからは、低音から高音までの音が連続的に出力される。
【００３６】
各スピーカユニットから出力された音波は、各スピーカユニットの前方にある検査装置１００のマイクロホン１３０に到達する。マイクロホン１３０に音波が到達すると、到達した音がオーディオ信号に変換され、この変換されたオーディオ信号がアンプ１５０で増幅される。そして、アンプ１５０で増幅されたオーディオ信号は、帯域フィルタ１６０に入力される。ここで、アンプ１５０で増幅されたオーディオ信号は可聴帯域のオーディオ信号であるため、このオーディオ信号は帯域フィルタ１６０を通過する。
【００３７】
次に、帯域フィルタ１６０を通過したオーディオ信号は、検出部１７０に入力される。検出部１７０は、入力されたオーディオ信号が表す音の周波数を検知し、検知した周波数を表す周波数信号を制御部１１０へ出力する。制御部１１０は、検出部１７０から出力された周波数信号が入力されると、この周波数信号に応じてＬＥＤの発光を制御する。具体的には、周波数信号が表す周波数に応じてＬＥＤ１４０を発光させる。例えば、周波数信号が表す周波数が第１周波数ｆ１である場合には、ＬＥＤ１４０の発光色が赤となるようにＬＥＤ１４０に電流を流し、ＬＥＤ１４０を点灯させる。また、周波数信号が表す周波数が第２周波数ｆ２（ｆ２＞ｆ１）である場合には、ＬＥＤ１４０の発光色が橙となるようにＬＥＤ１４０に電流を流し、ＬＥＤ１４０を点灯させる。そして、周波数信号が表す周波数が第３周波数ｆ３、第４周波数ｆ４、第５周波数ｆ５、第６周波数ｆ６、第７周波数ｆ７（ｆ３＜ｆ４＜ｆ５＜ｆ６＜ｆ７）と変化すると、発光色が黄（第３周波数ｆ３）、緑（第４周波数ｆ４）、青（第５周波数ｆ５）、藍（第６周波数ｆ６）、紫（第７周波数ｆ７）となるようにＬＥＤ１４０に電流を流し、ＬＥＤ１４０を点灯させる。なお、各周波数の周波数信号が制御部１１０に入力されていない場合にはＬＥＤ１４０は消灯させられる。
【００３８】
これにより、検査装置１００においては、入力された音の周波数変化に応じて、ＬＥＤ１４０の発光色が変化する。そして、いずれかのスピーカユニットにおいて、いずれかの周波数の音の出力に異常がある場合には、異常のあるスピーカユニットの前方にある検査装置１００は、他の正常なスピーカユニットの前にある検査装置１００と同じ色で点灯しないので、異常のあるスピーカユニットを容易に知ることができる。
【００３９】
なお、本実施形態においては、第１周波数ｆ１〜第７周波数ｆ７の各周波数を検知した場合にのみＬＥＤ１４０を点灯させるようにしているが、周波数信号が表す周波数が、スイープ信号に応じて低い周波数から高い周波数に連続的に変化するのに応じて、ＬＥＤ１４０の発光色を周波数の低い光（例えば赤）から周波数の高い光（例えば紫）に連続的に変化させるようにしてもよい。また、同じ色の光が出力されるようにＬＥＤ１４０を制御しつつ、周波数信号が表す周波数が、スイープ信号に応じて低い周波数から高い周波数に連続的に変化するのに応じて、ＬＥＤ１４０の発光時の輝度を「暗」から「明」まで連続的に変化させるようにしてもよい。
【００４０】
［第３実施形態］
次に本発明の第３実施形態について説明する。図４は、スピーカアレイと本発明の実施形態に係るスピーカ試験装置１０の外観図である。スピーカ試験装置１０は、スピーカアレイ２０のスピーカユニットの異常を検知するための装置であり、大別すると外枠と、梁２０Ａ，梁２０Ｂ，梁２０Ｃと、複数の検査装置１００とから構成されている。外枠は、上枠１１、下枠１２、右枠１３、左枠１４とから構成されている。外枠の上枠から下枠までの距離は、スピーカアレイ２０を構成するエンクロージャの天板から底板までの距離と同じとなっており、外枠の右枠から左枠までの距離は、スピーカアレイ２０を構成するエンクロージャの右側板から左側板までの距離と同じとなっている。梁２０Ａ〜梁２０Ｃは、外枠の長手方向に沿って外枠の内側に掛け渡されている。梁２０Ａ〜梁２０Ｃには、検査装置１００が複数配設されている。ここで、検査装置１００は、図５に示したように、スピーカアレイ２０の前面にスピーカ試験装置１０を配置した際、各スピーカユニットの前方に一つの検査装置１００が位置するように配設されている。なお、本実施形態における検査装置１００の構成は第１実施形態の検査装置１００と同じ構成となっている。
【００４１】
図５に示したようにスピーカ試験装置１０を配置し、第１実施形態と同様に低音、中音、高音を出力すると、スピーカ試験装置１００に配設された検査装置１００は、第１実施形態と同様に各音に対応してＬＥＤを点灯させるので、異常のあるスピーカユニットを容易に判別することができる。
【００４２】
［変形例］
以上、本発明の実施形態について説明したが、本発明は上述した実施形態に限定されることなく、他の様々な形態で実施可能である。例えば、上述の実施形態を以下のように変形して本発明を実施してもよい。
【００４３】
スピーカ試験装置１０に配設される検査装置１００の数や配設位置は、図１に示した数・配設位置に限定されるものではない。検査装置１００は、検査するスピーカアレイにおけるスピーカユニットの数や配列に応じて、その数や配設位置を変えることができる。また、スピーカアレイ２０がバッフル板を具備している場合には、バッフル板に検査装置１００を配設するようにしてもよい。なお、テスト用の低音,中音，高音のオーディオ信号が記録されたＣＤ（Compact Disc）をスピーカアレイ２０のユーザに配布するようにしてもよい。この態様によれば、スピーカアレイ２０のユーザが異常のあるスピーカユニットを知ることができる。また、スピーカアレイ２０がサランネットを具備している場合には、サランネットが張られる枠の内側に図１に示したように検査装置１００を配設するようにしてもよい。
【００４４】
また、各検査装置１００に赤外線通信によりコマンドを送信し、各検査装置は試験開始のコマンドを受信した場合にのみ、上述した実施形態の動作を行うようにしてもよい。また、検査装置１００に無線通信機能を設け、マイクロホン１３０から出力されたオーディオ信号をデジタル化し、外部装置に出力するようにしてもよい。
【００４５】
上述した実施形態においては、スピーカユニットの各々に対応して検査装置１００を配設しているが、１行分の検査装置１００のみを外枠の内部に配設し、１行分の検査装置１００をずらしながらスピーカユニットの行毎に試験を行うようにしてもよい。また、二次電池１９０を設けることなく、検査装置１００の各部へ太陽電池１２０から直接電力を供給するようにしてもよい。
【００４６】
上述した第１実施形態においては、検出部１７０で検出した音圧レベルに応じてＬＥＤ１４０の発光時の輝度を制御するようにしてもよい。例えば、音圧レベルが低い場合にはＬＥＤ１４０の発光時の輝度を暗くするようにし、音圧レベルが高くなるにつれてＬＥＤ１４０の発光時の輝度を明るくするように、ＬＥＤ１４０の発光時の輝度を制御するようにしてもよい。そして、低音、中音、高音の音波をスピーカアレイから出力する場合、出力する音波の音圧レベルが徐々に増加していくようにしてもよい。スピーカユニットに異常がある場合、音圧レベルが増加していく過程で、異常のあるスピーカユニット前方にある検査装置１００のＬＥＤの輝度は、他の検査装置１００のＬＥＤの輝度とは異なることとなるため、スピーカユニットの異常を発見することができる。
【００４７】
また、検出部１７０で検出した音圧レベルに応じてＬＥＤ１４０の発光色を制御するようにしてもよい。例えば、音圧レベルが低い場合にはＬＥＤ１４０の発光色を赤とし、音圧レベルが高くなるにつれてＬＥＤ１４０の発光色を、橙、黄、緑、青、藍、紫というように順番に変化させるようにしてもよい。そして、低音、中音、高音の音波をスピーカアレイ２０から出力する場合、出力する音波の音圧レベルが徐々に増加していくようにしてもよい。スピーカユニットに異常がある場合、音圧レベルが増加していく過程で、異常のあるスピーカユニット前方にある検査装置１００のＬＥＤの発光色は、他の検査装置１００のＬＥＤの発光色とは異なることとなるため、スピーカユニットの異常を発見することができる。
【００４８】
上述した第１実施形態においては、検出部１７０は第２実施形態と同様にオーディオ信号が表す音の周波数を検知し、検知した周波数を表す周波数信号を制御部１１０へ出力するようにしてもよい。そして、リモコン装置３０から送信されるコマンドに応じて、検知部１７０から出力されるレベル信号に基づいてＬＥＤ１４０の発光を制御するモードと、検知部１７０から出力される周波数信号に基づいてＬＥＤ１４０の発光を制御するモードとを切替えるようにしてもよい。
【００４９】
上述した実施形態においては、所定の周波数の音波がマイクロホン１３０に到達した時にＬＥＤ１４０が発光するようになっているが、マイクロホン１３０に到達した音波の時間変化をＤＳＰ（Digital Signal Processor）を用いた信号処理回路により解析し、所定の音波のパターンを検知した時にＬＥＤ１４０を発光させるようにしてもよい。
また、帯域フィルタ１６０や検出部１７０を設けず、制御部１１０は、マイクロホン１３０からオーディオ信号が出力されたらＬＥＤ１４０を発光させるようにしてもよい。
また、帯域フィルタ１６０を設けず、アンプ１５０から出力されたオーディオ信号を検出部１７０へ入力するようにしてもよい。そして、検出部１７０は、この入力されるオーディオ信号から音圧レベルを検知するようにし、制御部１１０は、検出部１７０から出力されるレベル信号に応じてＬＥＤ１４０の発光を制御するようにしてもよい。
【図面の簡単な説明】
【００５０】
【図１】第１実施形態に係る検査装置を備えたスピーカアレイの外観図である。
【図２】同実施形態に係る検査装置の外観図である。
【図３】同実施形態に係る検査装置のハードウェア構成を示したブロック図である。
【図４】第２実施形態に係るスピーカ試験装置の外観図である。
【図５】同スピーカ試験装置をスピーカアレイの前面に配置した時の図である。
【符号の説明】
【００５１】
１０・・・スピーカ試験装置、２０・・・スピーカアレイ、１００・・・検査装置、１１０・・・制御部、１２０・・・太陽電池、１３０・・・マイクロホン、１４０・・・ＬＥＤ、１５０・・・アンプ、１６０・・・帯域フィルタ、１７０・・・検出部。
【図１】
2007068101.tif 000003
【図２】
2007068101.tif 000004
【図３】
2007068101.tif 000005
【図４】
2007068101.tif 000006
【図５】
2007068101.tif 000007